【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】
所定サイズに裁断されることで得られたシート状のフィルムを所定枚数集積した集合体を収納しフィルムを搬送する工程と、
診断画像信号に基づいてフィルムを露光し画像形成を行うとともに前記フィルムの先端の一部領域を所定の露光量又は指定された濃度に対し演算された光量で露光する露光工程と、
前記露光されたフィルムを加熱ドラムで搬送しながら加熱し前記露光工程で形成された潜像を可視画像にする現像工程と、
前記加熱されたフィルムが前記加熱ドラムから離間してから最初にその先端がガイド面に当接してガイドされる案内工程と、
前記ガイドされたフィルムを搬送ローラ対で搬送しながら冷却する冷却搬送工程と、
前記現像されたフィルムの画像の濃度を測定する濃度測定工程と、
前記現像されたフィルムの前記一部領域の測定濃度値を使用して、次以降のフィルムの濃度が最適化となるように前記露光工程における露光条件及び前記現像工程における現像条件の少なくとも一方を補正する補正工程と、を含む画像形成方法であって、
前記集合体において前記フィルムを所定の端部に前記裁断時に発生する突出部が最も少なく存在するように集積し、前記集合体から前記フィルムを前記加熱ドラムから離間した後に前記所定の端部が前記ガイド面に最初に当接するように搬送することを特徴とする画像形成方法。
【請求項２】
前記フィルムの集積を前記裁断時の状態を考慮して行い、
前記集合体を所定の位置関係で収納し搬送することを特徴とする請求項１に記載の画像形成方法。
【請求項３】
裁断面に突出部を有する少なくとも１つの端辺と、前記突出部を有する端辺を除く端辺であって突出部を有していない少なくとも１つの端辺と、を有するシート状のフィルムを、前記突出部を有していない端辺を揃えて集積したフィルム集合体を収納して、搬送するフィルムサプライ手段と、
診断画像データに基づいて前記フィルムを露光し画像形成を行う露光手段と、
前記露光されたフィルムを搬送しながら加熱し現像する所定の曲率を有する加熱ドラム及び前記加熱ドラムに対向するように配置された少なくとも１以上の対向ローラを含む加熱搬送手段と、前記加熱されたフィルムを少なくとも１対の搬送ローラで搬送しながら冷却する冷却搬送手段と、前記加熱ドラムから離間する前記フィルムを前記冷却搬送手段ヘガイド面で案内するガイド手段と、を有する熱現像手段と、を備える画像形成装置であって、
前記フィルム集合体が前記フィルムサプライ手段に所定の位置関係で収納され、前記フィルムが前記加熱ドラムから離間した後に前記突出部を有していない端辺が前記ガイド面に最初に当接することを特徴とする画像形成装置。
【請求項４】
前記熱現像手段で現像されたフィルムの濃度を測定する濃度測定手段と、
前記診断画像データに基づいて診断画像を形成するとき、その診断画像を形成するフィルムの先端の一部領域を所定の露光量又は指定された濃度に対し演算された光量で露光するとともに、前記現像されたフィルムの前記一部領域を前記濃度測定手段で濃度測定し、その測定濃度値を使用して、次以降のフィルムの濃度が最適化となるように前記露光手段の露光条件及び前記熱現像手段の現像条件の少なくとも一方を補正する補正手段と、を備えることを特徴とする請求項３に記載の画像形成装置。
【請求項５】
前記フィルム集合体は包装袋に収容された状態で前記フィルムサプライ手段に収納され、
前記フィルムサプライ手段は前記包装袋を除去処理する除去処理手段を有し、
前記包装袋は前記除去処理手段と係合する係合部を有し、
前記フィルム包装体が前記フィルムサプライ手段に収納され前記包装袋が前記係合部で係合し除去されると、前記フィルムは前記加熱ドラムから離間した後に前記所定の端部が前記ガイド面に最初に当接するように搬送されることを特徴とする請求項３または４に記載の画像形成装置。
【請求項６】
前記長尺状に断裁する所定幅が１４インチであることを特徴とする請求項３乃至５のいずれか１項に記載の画像形成装置。
【請求項７】
幅広のシートを所定幅で長尺状に断裁する第１断裁工程と、
その長尺状シートを更に所定長さに断裁することで所定サイズのフィルムを得る第２断裁工程と、
前記フィルムを所定枚数集積し保持することで集合体を得る工程と、
前記集合体を包装袋に収容する工程と、を含み、
前記集合体を得る工程は、前記第１または第２断裁工程で発生した突出部を有する前記フィルムの端辺を揃えて前記フィルムを集積することを特徴とするフィルム包装体の生産方法。
【手続補正２】
【補正対象書類名】明細書
【補正対象項目名】発明の名称
【補正方法】変更
【補正の内容】
【発明の名称】画像形成方法、画像形成装置及びフィルム包装体の生産方法
【手続補正３】
【補正対象書類名】明細書
【補正対象項目名】０００１
【補正方法】変更
【補正の内容】
【０００１】
【発明の属する技術分野】
本発明は、フィルムに画像を形成する画像形成方法、その画像形成方法を実行する画像形成装置、及びそのフィルム包装体の生産方法に関するものである。
【手続補正４】
【補正対象書類名】明細書
【補正対象項目名】００１４
【補正方法】変更
【補正の内容】
【００１４】
【発明が解決しようとする課題】
本発明は、上記従来技術の問題に鑑み、フィルム先端の断裁にばらつきが生じても、フィルム先端部分におけるパッチ濃度を安定させ、適正なフィードバック補正が可能な画像形成方法を提供することを目的とする。また、その画像形成方法を実行できる画像形成装置、及びそのフィルム包装体の生産方法を提供することを目的とする。
【手続補正５】
【補正対象書類名】明細書
【補正対象項目名】００１８
【補正方法】変更
【補正の内容】
【００１８】
本発明による画像形成装置は、裁断面に突出部を有する少なくとも１つの端辺と、前記突出部を有する端辺を除く端辺であって突出部を有していない少なくとも１つの端辺と、を有するシート状のフィルムを、前記突出部を有していない端辺を揃えて集積したフィルム集合体を収納して、搬送するフィルムサプライ手段と、診断画像データに基づいて前記フィルムを露光し画像形成を行う露光手段と、前記露光されたフィルムを搬送しながら加熱し現像する所定の曲率を有する加熱ドラム及び前記加熱ドラムに対向するように配置された少なくとも１以上の対向ローラを含む加熱搬送手段と、前記加熱されたフィルムを少なくとも１対の搬送ローラで搬送しながら冷却する冷却搬送手段と、前記加熱ドラムから離間する前記フィルムを前記冷却搬送手段ヘガイド面で案内するガイド手段と、を有する熱現像手段と、を備える画像形成装置であって、前記フィルム集合体が前記フィルムサプライ手段に所定の位置関係で収納され、前記フィルムが前記加熱ドラムから離間した後に前記突出部を有していない端辺が前記ガイド面に最初に当接することを特徴とする。
【手続補正６】
【補正対象書類名】明細書
【補正対象項目名】００１９
【補正方法】変更
【補正の内容】
【００１９】
この画像形成装置によれば、フィルムサプライ手段に収納しフィルムを搬送すると、加熱ドラムから離間した後にガイド手段のガイド面に最初に当接するフィルムの端辺は、フィルム裁断時に発生するバリやカエリ等の突出部が少ないので、突出部の存在のためにガイド面でフィルム先端近傍（一部領域を含む）が座屈ぎみに搬送されるような不安定な搬送を防止でき、ガイド面でフィルムを安定に搬送できる。このため、フィルム先端の断裁にばらつきが生じても、フィルム先端部分で過冷却のおそれがないので、例えば、フィルム先端部分におけるパッチ濃度を安定させことができる。従って、画像形成装置において適正なフィードバック補正を行うことができ、安定した画像濃度を得ることができる。また、前記集合体が前記フィルムサプライ手段に所定の位置関係で収納され、前記フィルムは前記画像形成装置において前記加熱ドラムから離間した後に前記突出部を有していない端辺が前記ガイド面に最初に当接することで、バリやカエリ等の突出部の少ない端辺がガイド面に接触する。
【手続補正７】
【補正対象書類名】明細書
【補正対象項目名】００２０
【補正方法】変更
【補正の内容】
【００２０】
上記画像形成装置において、前記熱現像手段で現像されたフィルムの濃度を測定する濃度測定手段と、前記診断画像データに基づいて診断画像を形成するとき、その診断画像を形成するフィルムの先端の一部領域を所定の露光量又は指定された濃度に対し演算された光量で露光するとともに、前記現像されたフィルムの前記一部領域を前記濃度測定手段で濃度測定し、その測定濃度値を使用して、次以降のフィルムの濃度が最適化となるように前記露光手段の露光条件及び前記熱現像手段の現像条件の少なくとも一方を補正する補正手段と、を備えることが好ましい。
【手続補正８】
【補正対象書類名】明細書
【補正対象項目名】００２１
【補正方法】変更
【補正の内容】
【００２１】
また、前記フィルム集合体は包装袋に収容された状態で前記フィルムサプライ手段に収納され、前記フィルムサプライ手段は前記包装袋を除去処理する除去処理手段を有し、前記包装袋は前記除去処理手段と係合する係合部を有し、前記フィルム包装体が前記フィルムサプライ手段に収納され前記包装袋が前記係合部で前記除去処理手段に係合し除去されると、前記フィルムは前記加熱ドラムから離間した後に前記所定の端部が前記ガイド面に最初に当接するように搬送されることで、バリやカエリ等の突出部の少ない端辺がガイド面に接触する。バリやカエリ等の突出部の少ない端辺以外が先頭でガイド面に接触するような形態でフィルム包装体がフィルムサプライ手段に装填されると、包装袋が処理できないので、フィルムを搬送できず、不具合発生を未然に防止可能となる。
【手続補正９】
【補正対象書類名】明細書
【補正対象項目名】００２３
【補正方法】変更
【補正の内容】
【００２３】
本発明によるフィルム包装体の生産方法は、幅広のシートを所定幅で長尺状に断裁する第１断裁工程と、その長尺状シートを更に所定長さに断裁することで所定サイズのフィルムを得る第２断裁工程と、前記フィルムを所定枚数集積し保持することで集合体を得る工程と、前記集合体を包装袋に収容する工程と、を含み、前記集合体を得る工程は、前記第１または第２断裁工程で発生した突出部を有する前記フィルムの端辺を揃えて前記フィルムを集積することを特徴とする。
【手続補正１０】
【補正対象書類名】明細書
【補正対象項目名】００２４
【補正方法】変更
【補正の内容】
【００２４】
このフィルム包装体の生産方法によれば、フィルム端辺の断裁にばらつきが生じても、フィルム断裁端辺の状態を考慮して端辺に発生する突出部が最も少なくなるようにフィルムの端辺を揃えてフィルムを集積することができる。このため、例えば、上述のような画像形成方法または上述のような画像形成装置において集合体を収納しフィルムを搬送すると、加熱ドラムから離間した後にガイド手段のガイド面に最初に当接するフィルムの端辺は、フィルム裁断時に発生するバリやカエリ等の突出部が少ないので、突出部の存在のためにガイド面でフィルム先端近傍（一部領域を含む）が座屈ぎみに搬送されるような不安定な搬送を防止でき、ガイド面でフィルムを安定に搬送できる。このため、フィルム先端部分で過冷却のおそれがないので、フィルム先端部分におけるパッチ濃度を安定させことができる。従って、形成装置において適正なフィードバック補正を行うことができ、安定した画像濃度を得ることができる。
【手続補正１１】
【補正対象書類名】明細書
【補正対象項目名】００８５
【補正方法】変更
【補正の内容】
【００８５】
また、上記画像形成方法を実行できる画像形成装置を提供でき、フィルム端辺の断裁にばらつきが生じてもフィルムを断裁状態に応じてその端辺を揃えて集積したフィルム包装体の生産方法を提供できる。